(57)【要約】【課題】小型であり、経時的な温度上昇に伴う光学系の部材の熱膨張を防止し、読取精度が低下しない画像読取装置を提供する。【解決手段】光源３と、反射ミラー６ａ，６ｂ，６ｃと、結像レンズ７と、撮像素子８と、をユニットケース１ｃに一体的に搭載した一体型光学ユニット１を備え、一体型光学ユニット１を走査方向に移動させて原稿の画像を読み取る画像読取装置において、ユニットケース１ｃは、ユニットケース１ｃを構成する任意の主面に設けられた開口部１ａに設置され、一体型光学ユニット１の移動により生じる風力を受けて回転する風車部と、該風車部の回転による駆動力を受けて回転する複数の羽根からなり開口部１ａを通してユニットケース１ｃの外から内に空気を送り込み、またはユニットケース１ｃの内から外に空気を排出するファン部と、を有する風車体２を備える。【選択図】図１
2013005075.tif 000002
【特許請求の範囲】
【請求項１】
原稿に光を照射する光源と、該光源から前記原稿に照射されて反射された光を反射する複数の反射ミラーと、前記複数の反射ミラーに反射された光を収束させる結像レンズと、該結像レンズにより収束された光を受光する撮像素子と、をユニットケースに一体的に搭載した一体型光学ユニットを備え、前記一体型光学ユニットを走査方向に移動させて原稿の画像を読み取る画像読取装置において、
前記ユニットケースは、該ユニットケースを構成する任意の主面に設けられた開口部に設置され、前記一体型光学ユニットの移動により生じる風力を受けて回転する風車部と、該風車部の回転による駆動力を受けて回転する複数の羽根からなり前記開口部を通して前記ユニットケースの外から内に空気を送り込み、または前記ユニットケースの内から外に空気を排出するファン部と、を有する風車体を備えることを特徴とする画像読取装置。
【請求項２】
前記風車部は、回転軸と、該回転軸に支持アームを介して取り付けられる複数のブレードと、前記回転軸の回転を支持する軸受けと、を有し、前記複数のブレードが前記一体型光学ユニットの移動により生じる風力を受けることにより該複数のブレード及び回転軸が回転することを特徴とする請求項１に記載の画像読取装置。
【請求項３】
前記複数のブレードは、その長手方向が前記回転軸の軸方向と略平行となるように配置されていることを特徴とする請求項２に記載の画像読取装置。
【請求項４】
前記回転軸は、その軸方向が前記一体型光学ユニットの移動方向に対して直交するように配置されていることを特徴とする請求項２または３に記載の画像読取装置。
【請求項５】
前記ファン部は、前記複数の羽根が前記風車部の回転軸、複数のブレードまたは支持アームに前記回転軸を回転中心として取り付けられたものであることを特徴とする請求項２〜４のいずれかに記載の画像読取装置。
【請求項６】
複数の前記風車体を備え、このうち少なくとも１つの風車体は、前記一体型光学ユニットの移動により前記ユニットケースの外から内に空気を送り込む吸気機能を有しており、残りの風車体は、前記一体型光学ユニットの移動により前記ユニットケースの内から外に空気を排出する排気機能を有していることを特徴とする請求項１〜５のいずれかに記載の画像読取装置。
【請求項７】
前記風車体の少なくとも１つは、前記ユニットケースの走査方向に対して側面となる主面における下方側、あるいは底面となる主面に配置され、前記吸気機能を有しており、
前記風車体の残りは、前記ユニットケースの走査方向に対して別の側面となる主面における上方側に配置され、前記排気機能を有していることを特徴とする請求項６に記載の画像読取装置。
【請求項８】
前記風車体の少なくとも１つは、前記ユニットケースの主面における一体型光学ユニットの移動方向の前方側に配置され、前記吸気機能を有しており、
前記風車体の残りは、前記ユニットケースの主面における一体型光学ユニットの移動方向の後方側に配置され、前記排気機能を有していることを特徴とする請求項６または７に記載の画像読取装置。
【請求項９】
前記風車体は、前記光源または撮像素子の近傍に配置されることを特徴とする請求項１〜８のいずれかに記載の画像読取装置。
【請求項１０】
請求項１〜９のいずれかに記載の画像読取装置を備えることを特徴とする画像形成装置。
【発明の詳細な説明】
【技術分野】
【０００１】
本発明は、デジタル複写機やイメージスキャナに使用される画像読取装置及び該画像読取装置を備える画像形成装置に関する。
【背景技術】
【０００２】
原稿面に光源から光を照射し、その反射光をミラーで反射させ、結像レンズを介して撮像素子により読取る画像読取装置において、上記構成要素を一体に収納した一体型光学ユニットを用いた画像読取装置が知られている。このような画像読取装置は、近年デジタル複合機と呼ばれる複写機に組み付けられることが多く、また持ち運べるような大きさのイメージスキャナに設けられることもある。
【０００３】
デジタル複合機に組み付けられる場合には、他の装置との関係から小型化が図られ、イメージスキャナに設けられる場合には、より軽量でコンパクトであることを目的としてやはり小型化が図られている。
しかしながら、このような装置では、光源や撮像素子の発熱が考慮されておらず、部材の熱膨張によって生じる、読取精度の低下が問題となった。
【０００４】
特許文献１では、そのような部材の熱膨張を考慮し形成された画像読取装置が開示されている。すなわち、「一体型光学ユニットの上面及び下面に開口を設け、下面の開口は上面の開口よりも副走査方向の長さを長くすることにより、下面の開口から冷たい空気の流入を行ない、上面の開口からユニット内部の熱を逃がす」構成としている。
【０００５】
しかしながら、一体型走査光学ユニットの上面と下面にただ開口を設けただけでは、走査する方向と略垂直な方向に空気の流れを作り出すのは難しく、ユニット内部を十分には冷却できなかった。
【０００６】
また、特許文献２では、「回転軸と、前記回転軸にアームを介して取り付けられ、前記回転軸に平行する複数枚の翼と、前記回転軸における前記翼の上端近傍に対応する位置に取り付けられ、吹き下ろし風に対して回転する複数枚の第１の翼と、前記回転軸における前記翼の下端近傍に対応する位置に取り付けられ、吹き上げ風に対して回転する複数枚の第２の翼と、前記回転軸の回転エネルギーを電気エネルギーに変換する発電機とを備えた全風向用風力発電装置」が開示されている。
【０００７】
この発明では、略全方向の風を利用することができ、それにより発電することができるが、ある特定の方向に風を起こす機構は設けられていない。すなわち、この発明の目的は発電することにあるため、本発明とは目的を異にする。
【発明の概要】
【発明が解決しようとする課題】
【０００８】
本発明は、以上の従来技術における課題に鑑みてなされたものであり、小型であり、経時的な温度上昇に伴う光学系の部材の熱膨張を防止し、読取精度が低下しない画像読取装置及び該画像読取装置を備える画像形成装置を提供することを目的とする。
【課題を解決するための手段】
【０００９】
前記課題を解決するために提供する本発明は、原稿に光を照射する光源と、該光源から前記原稿に照射されて反射された光を反射する複数の反射ミラーと、前記複数の反射ミラーに反射された光を収束させる結像レンズと、該結像レンズにより収束された光を受光する撮像素子と、をユニットケースに一体的に搭載した一体型光学ユニットを備え、前記一体型光学ユニットを走査方向に移動させて原稿の画像を読み取る画像読取装置において、前記ユニットケースは、該ユニットケースを構成する任意の主面に設けられた開口部に設置され、前記一体型光学ユニットの移動により生じる風力を受けて回転する風車部と、該風車部の回転による駆動力を受けて回転する複数の羽根からなり前記開口部を通して前記ユニットケースの外から内に空気を送り込み、または前記ユニットケースの内から外に空気を排出するファン部と、を有する風車体を備えることを特徴とする画像読取装置である。
【発明の効果】
【００１０】
本発明によれば、ユニットケースの開口部に風車部とファン部からなる風車体を設けることにより、一体型光学ユニットの走査方向の移動により生じる風力で効率よく空気の流れ（排気、吸気）を起こして、該一体型光学ユニットの内部を冷却するので、経時的な温度上昇に伴う光学系部材の熱膨張を防止でき、読取精度が低下しない小型で省エネルギーの画像読取装置を実現することができる。
【図面の簡単な説明】
【００１１】
【図１】本発明に係る画像読取装置の構成を示す断面図である。
【図２】図１の画像読取装置における一体型光学ユニットの構成を示す断面図である。
【図３】本発明で用いる風車体の構成を示す斜視図である。
【図４】本発明で用いる風車体の構成を示す断面図である。
【図５】本発明で用いる風車体におけるファン部の構成例を示す断面図である。
【図６】本発明で用いる風車体の構成を示す上面図である。
【図７】本発明の画像読取装置の第２の実施形態における要部構成を示す図である。
【図８】本発明の画像読取装置の第３の実施形態におけるユニットケース全体を示す斜視図である。
【図９】本発明の画像読取装置の第４の実施形態におけるユニットケース全体を示す斜視図である。
【図１０】本発明の画像読取装置の第５の実施形態におけるユニットケース全体を示す斜視図である。
【図１１】本発明に係る画像形成装置の構成を示す概略図である。
【発明を実施するための形態】
【００１２】
以下に、本発明に係る画像読取装置の構成について説明する。
図１は、本発明に係る画像読取装置の構成を示す断面図であり、図２は、図１の画像読取装置に用いられる一体型光学ユニットの構成を示す断面図である。
図１に示すように、画像読取装置２０は、読み取りの際に原稿Ｐを載置するコンタクトガラス９と、駆動手段（不図示）により走査方向（図中右方向）に移動してコンタクトガラス９上の原稿Ｐを読み取る一体型光学ユニット（以下、光学ユニット）１と、を備えている。
【００１３】
また、光学ユニット１は、図２に示すように、コンタクトガラス９上の原稿Ｐをライン状の光Ｌ１を照射するための発光ダイオード（ＬＥＤ（Light Emitting Diode））の光源３，反射板４，対向板５からなる照明手段と、原稿Ｐから反射された光（反射光）Ｌ２を撮像素子８に導く複数の反射ミラー６ａ，６ｂ，６ｃと、複数の反射ミラー６ａ，６ｂ，６ｃに反射された光を収束させる結像光学素子である結像レンズ７と、該結像レンズ７により収束された光を受光して画像情報を読み取る撮像素子８と、を箱型のユニットケース１ｃ内部に搭載した構成となっている。
【００１４】
なお、光源３は、発光ダイオード以外の光源、例えばＸｅランプなどでもよい。
また本実施例では、３枚の反射ミラー６ａ，６ｂ，６ｃを配置しているが、反射ミラーの枚数は必要に応じて変更可能である。
【００１５】
撮像素子８は、「色分解手段として赤（Ｒ）、緑（Ｇ）、青（Ｂ）のフィルタを持った光電変換素子を、１チップにラインセンサを３列に配列させた３ラインＣＣＤ（Charge Coupled Device）」であり、原稿Ｐの照明走査に伴い、原稿画像を画像信号化する。このようにして原稿Ｐの読取りが実行され、原稿Ｐのカラー画像は、赤、緑、青の３原色に色分解して読み取られる。
【００１６】
また、本実施例の画像読取装置は、画像をフルカラーで読取る装置であって、結像レンズ７の結像光路中に設けられた「色分解手段（前記３ラインＣＣＤに設けられた赤、緑、青のフィルタ）」を有している。「色分解」は、上記とは別に、結像レンズ７と撮像素子８との間に色分解プリズムやフィルタを選択的に挿入し、Ｒ（赤）、Ｇ（緑）、Ｂ（青）に色分解する方法や「Ｒ、Ｇ、Ｂの光源を順次点灯させ原稿を照明する方法」を用いてもよい。
【００１７】
また、光学ユニット１は、図１，図２に示すように、ユニットケース１ｃを構成する任意の主面に設けられた開口部１ａに設置され、光学ユニット１の走査方向への移動に伴って生じる風を受ける風車体２を有している。
【００１８】
図３〜図６を用いて、風車体２の構成例を説明する。
図３は、風車体２の構成を示す斜視図であり、図４はその断面図、図５はファン部の構成例を示す図、図６は風車体２の構成を示す上面図である。
風車体２は、図３，図４に示すように、光学ユニット１の移動により生じる風力を受けて回転する風車部２Ａと、該風車部２Ａの回転による駆動力を受けて回転する複数の羽根１２からなり開口部１ａを通してユニットケース１ｃの外から内に空気を送り込み、またはユニットケース１ｃの内から外に空気を排出するファン部２Ｂと、を有するものである。
【００１９】
ここで、風車部２Ａは、回転軸１０と、該回転軸１０に支持アーム１３を介して取り付けられる複数のブレード１４と、回転軸１０の長手方向両端に配置され該回転軸１０を回転可能に支持する軸受け１１ａと、有している。
【００２０】
また、回転軸１０は、その軸方向（長手方向）が光学ユニット１の移動方向に対して直交するように配置されており、例えばユニットケース１ｃの開口部１ａが設けられた主面に対して垂直となるように該主面から立設されている。
【００２１】
ブレード１４は、光学ユニット１の走査方向への移動に伴って生じる風力を受けて回転軸１０を中心軸とする回転に変換するためのある長さをもった翼（回転翼）である。またブレード１４の翼型（翼断面）は回転方向前方となる前縁が厚く、回転方向後方となる後縁が薄くなっており、受ける風力を効率的に回転運動に変換できるような形状を有している。本実施例では、ブレード１４の長手方向が回転軸１０の軸方向と略平行となるように配置されていることが好ましい。
【００２２】
ファン部２Ｂは、複数の羽根（プロペラブレードともいう）１２が風車部２Ａの回転軸１０、複数のブレード１４または支持アーム１３に回転軸１０を回転中心として取り付けられ、羽根１２の回転により回転軸１０の軸方向に送風を行うものである。このとき、羽根１２は樹脂で成型したものとするとよい。樹脂製の羽根１２とすることで軽量化を図ることができ、風車部２Ａのわずかな駆動力でも容易に回転して効率的な送風が可能となる。
【００２３】
複数の羽根１２の取り付け方としては、回転軸１０を回転中心としていれば、羽根１２が回転軸１０に直接取り付けられていてもよいし、支持アーム１３や複数のブレード１４に取り付けられていてもよく、本実施例では、４枚の羽根１２が回転軸１０に固定されている。また、複数の羽根１２の取り付け位置としては、回転軸１０の軸方向のどの位置に羽根１２が取り付けられていてもよいが、複数のブレード１４の長さ方向の一方の端部から回転軸１０に下ろした垂線との交点付近が望ましい。
【００２４】
また、ファン部２Ｂにおいて、図５に示すように、羽根１２の向きとして、羽根１２の長手方向一方の端部を回転軸１０に固定し、羽根１２の回転外周方向に向かうにつれて他方の端部を前記一方の端部を回転軸１０に固定した高さ位置よりも上側（ユニットケース１ｃ内部側、図５（ａ））または下側（ユニットケース１ｃ外部側、図５（ｂ））にするとよい。すなわち、複数の羽根１２を上向きに開いた羽根（図５（ａ））、下向きに開いた羽根（図５（ｂ））として取り付ける。
【００２５】
このような構成とすることにより、複数の羽根１２を回転軸１０に上向きの羽根として取り付けた場合（図５（ａ））、ファン部２Ｂに排気の機能を持たせることができる。また、複数の羽根１２を回転軸１０に下向きの羽根として取り付けた場合（図５（ｂ））、ファン部２Ｂは吸気の機能を持たせることができる。
【００２６】
なお、本実施例では、軸流ファン（プロペラファン）構造のファン部２Ｂの例を示しているが、ファンの構造はこれに限定されず、シロッコファンのような遠心ファンの構造であってもよい。
【００２７】
また、図６に示すように、回転軸１０の軸方向は光学ユニット１が走査する方向（走査方向、図中右方向）に対して略垂直であり、複数の羽根１２と複数のブレード１４の回転断面（図中、それぞれ点線で示す円）はそれぞれ回転軸１０の軸方向に略垂直となっている。このような構造とすることにより、原稿読み取りの際に光学ユニット１が移動する方向（走査方向）への移動のときだけではなく、原稿読み取り後に光学ユニット１が所定の位置に戻る移動のときにも、風車体２は指向性の高い風により高い回転力が得られ、排気もしくは吸気の機能を高めることができる。
【００２８】
なお、回転軸１０を支持する軸受け１１ａは、ユニットケース１ｃに固定された保持部材１１により保持されており、その結果、風車部２Ａ及びファン部２Ｂからなる風車体２の少なくとも一部はユニットケース１ｃの開口部１ａが設けられた主面からユニットケース１ｃの外側に突出するような態様となっている。例えば、図１，図２に示すように、風車部２Ａがユニットケース１ｃの開口部１ａが設けられた主面である底面（下面ともいう）から下方に突出し、ファン部２Ｂが開口部１ａ付近に配置されるように、風車体２を保持するとよい。これにより、原稿読み取りの際に光学ユニット１が移動する方向（走査方向）への移動のときだけではなく、原稿読み取り後に光学ユニット１が所定の位置に戻る移動のときにも、風車体２は指向性の高い風を受けるようになり、高い回転力が得られる。また、ファン部２Ｂを開口部１ａ付近に設けることにより、ユニットケース１ｃの内部への吸気、あるいはユニットケース１ｃ内部から外部への排気を効率的に行うことが可能である。開口部１ａは、複数の羽根１２の回転断面が収納される程度の大きさの円形の貫通穴とするとよい。
【００２９】
また、光学ユニット１の排気口または吸気口となるユニットケース１ｃの開口部１ａ付近に塵埃等の侵入を防ぐための防塵フィルタを備えるとよい。
【００３０】
このような図１〜図６に示す構成により、まず光学ユニット１が走査方向に移動すると、複数のブレード１４が光学ユニット１の移動により生じる風力を受けることにより風車部２Ａ（複数のブレード１４及び回転軸１０）が回転するようになる。ついで、風車部２Ａが回転すると、ファン部２Ｂの回転軸１０に固定された複数の羽根１２が回転するようになり、回転軸１０と略平行な方向に空気の流れ（風）が生じる。このとき、羽根１２の向き（図５）により、開口部１ａを通してユニットケース１ｃの外から内に空気を送り込むか、ユニットケース１ｃの内から外に空気を排出するかいずれかの空気の流れとなる。
【００３１】
これにより、画像読取装置２０における画像読取の際、及び画像読取後に光学ユニット１が所定の位置に戻る際に、光学ユニット１の移動により生じる風力のみで、光学ユニット１内の空気を外に吐き出す、もしくは光学ユニット１外の空気を内に吸い込むことができ、光学ユニット１内を効率よく冷却することができる。その結果、経時的な温度上昇に伴う光学系部材の熱膨張を防止でき、原稿情報を良好に読取ることが可能となる。
【００３２】
図７は、本発明の画像読取装置の第２の実施形態における要部構成を示す図である。図７（ａ）は、ユニットケース１ｃ全体を示す斜視図であり、風車体２を模式的に円筒で表している（以降の実施形態で同じ）。また、図７（ｂ）は、ユニットケース１ｃの風車体２を設けたある主面を真上から見た図である。
【００３３】
本実施形態では、図７（ａ）に示すように、ユニットケース１ｃは直方体ではなく、一つの主面ｍ１が対向する主面に対して傾斜をもつ形状であり、風車体２がその傾斜をもった主面に配置されている。
【００３４】
また、図７（ｂ）に示すように、風車体２の回転軸１０はその軸方向が主面ｍ１に対して略垂直であり、また複数の羽根１２と複数のブレード１４の回転断面（点線で示す円）はそれぞれ回転軸１０の軸方向に対して略垂直となっている。
【００３５】
本実施形態では、このような構成とすることにより、光学ユニット１のユニットケース１ｃの形状に依らず、風車体２をコンパクトに配置できるので、風車体２の機能を維持したまま光学ユニット１の小型化を図ることができる。特に、図７に示すようにユニットケース１ｃの対向する主面同士の間隔がある方向で徐々に窄まるような形状であっても、風車体２をその主面に配置することで光学ユニット１全体でコンパクト化を図ることができる。
【００３６】
図８は、本発明の画像読取装置の第３の実施形態におけるユニットケース１ｃ全体を示す斜視図である。
図８に示すように、ユニットケース１ｃにおいて、ある主面（例えば、図８では下面）の幅方向及び長手方向の略中央に風車体２を配置している。
【００３７】
このような構成では、光学ユニット１の移動により風車体２がユニットケース１ｃの内部への吸気、あるいはユニットケース１ｃ内部から外部への排気のいずれかのみを行い、光学ユニット１内を均一に冷却することが可能となる。とりわけ、風車体２の配設位置は、ユニットケース１ｃにおいて画像読取装置２０のコンタクトガラス９とは反対側となる下面であることが望ましい。ユニットケース１ｃの下面に配置することにより、光学ユニット１の走査方向への移動だけでなく、所定の位置に戻る移動の際にも複数の羽根１２及び複数のブレード１４の回転方向は変化しないので、常に排気、もしくは常に吸気の機能を持たせることができる。
【００３８】
また、本発明の画像読取装置２０は、光学ユニット１において複数の風車体（後述する風車体２，２’）を備え、このうち少なくとも１つの風車体（後述する風車体２）は、光学ユニット１の移動によりユニットケース１ｃの外から内に空気を送り込む吸気機能を有しており、残りの風車体（後述する風車体２’）は、光学ユニット１の移動によりユニットケース１ｃの内から外に空気を排出する排気機能を有していることが好ましい。これにより、光学ユニット１の移動の際に、風車体２によりユニットケース１ｃの内に冷却用の空気を吸気するとともに、ユニットケース１ｃの外に熱を奪った空気を排気することができ、光学ユニット１内を効率よく冷却することができる。
図９，図１０にその構成例を示す。
【００３９】
図９は、本発明の画像読取装置の第４の実施形態におけるユニットケース１ｃ全体を示す斜視図である。なお、これ以降、風車体２をユニットケース１ｃの内部への吸気の機能を有するもの、風車体２’をユニットケース１ｃ内部から外部への排気の機能を有するものとする。
【００４０】
図９に示すように、複数の風車体のうち少なくとも１つ（ここでは風車体２）は、ユニットケース１ｃの走査方向に対して側面（図中、手前側となる側面）となる主面における下方側に配置され、ユニットケース１ｃの内部への吸気の機能を有している。なお、風車体２をユニットケース１ｃの底面となる主面（下面）に配置してもよい。
【００４１】
また複数の風車体のうち残り（ここでは風車体２’）は、ユニットケース１ｃの走査方向に対して別の側面（図中、奥側となる側面）となる主面における上方側に配置され、ユニットケース１ｃ内部から外部への排気の機能を有している。
【００４２】
このような構成とすることにより、光学ユニット１の移動の際に、風車体２がユニットケース１ｃ外部の冷たい空気をユニットケース１ｃの下から吸い込み、風車体２’がユニットケース１ｃ内を通った温かい空気をユニットケース１ｃの上から吐き出す空気の流れを作ることができ、光学ユニット１内を効率的に冷却することができる。
【００４３】
また、図９に示すように、複数の風車体のうち少なくとも１つ（ここでは風車体２）は、ユニットケース１ｃの主面における光学ユニット１の移動方向の前方側に配置され、ユニットケース１ｃの内部への吸気の機能を有しており、複数の風車体のうち残り（ここでは風車体２’）は、ユニットケース１ｃの主面における光学ユニット１の移動方向の後方側に配置され、ユニットケース１ｃ内部から外部への排気の機能を有していることが好ましい。
【００４４】
このような構成とすることにより、風車体２がユニットケース１ｃの外部の冷たい空気を移動方向の上流から吸い込み、風車体２’がユニットケース１ｃ内を通った温かい空気を移動方向の下流から吐き出す空気の流れを作ることができ、光学ユニット１内をより効率的に冷却することができる。
【００４５】
なお、光学ユニット１の移動方向には、原稿を読み取る方向（走査方向）と原稿読み取り後に所定の位置に戻る方向があるが、これらのうちとりわけ光学ユニット１の移動速度が速い方向を移動方向と定義し、ユニットケース１ｃの主面においてその移動方向の上流側に風車体２を配置し、その移動方向の下流側に風車体２’を配置することが望ましい。
【００４６】
また、図９に示すように、ユニットケース１ｃにおいて、風車体２と風車体２’の配置が略対角な位置関係となるように配置するとよい。これにより、光学ユニット１の移動に伴いユニットケース１ｃ内の排気と吸気を同時に行う場合、光学ユニット１内を均一に冷却することができる。
【００４７】
図１０は、本発明の画像読取装置の第５の実施形態におけるユニットケース１ｃ全体を示す斜視図である。
風車体２及び風車体２’は、光源３の近傍に配置されることが好ましい。特に、図１０に示すように、ユニットケース１ｃにおいて光源３を挟むように対向する主面（光学ユニット１の移動の際に側面となる主面でもある）のうち、一方の主面において光源３の近傍となる位置に風車体２を配置し、他方の主面において光源３の近傍となる位置に風車体２’を配置することが好適である。
【００４８】
これにより、原稿読み取りの際に発熱する光源３及びその近傍に冷却用の空気を流すことができ、光源３を直接冷却することができる。なお、撮像素子８も原稿読み取りの際に発熱するものであり、風車体２及び風車体２’を撮像素子８の近傍に配置するようにしてもよい。また、風車体２，２’のいずれか一つを光源３または撮像素子８の近傍に配置するようにしてもよい。
【００４９】
次に、本発明に係る画像形成装置の構成について説明する。
図１１は、本発明に係る画像形成装置の構成を示す概略図である。
本発明の画像形成装置１００は、装置上部に位置する本発明の画像読取装置２０と、その下位に位置する「画像形成部」とを有する。
【００５０】
ここで、画像読取装置２０は、図１において説明したものと同様の機能を有しており、各部には図１と同じ符号を付してある。
【００５１】
画像読取装置２０の撮像素子８から出力される画像信号は画像処理部１２０に送られ、画像処理部１２０において処理されて「書込み用の信号（イエロー・マゼンタ・シアン・黒の各色を書込むための信号）」に変換される。
【００５２】
画像形成部は、「潜像担持体」として円筒状に形成された光導電性の感光体１１０を有し、その周囲に、帯電手段としての帯電ローラ１１１、リボルバ式の現像装置１１３、転写ベルト１１４、クリーニング装置１１５が配設されている。帯電手段としては帯電ローラ１１１に代えて「コロナチャージャ」を用いることもできる。
【００５３】
信号処理部１２０から書込み用の信号を受けて光走査により感光体１１０に書込みを行う光走査装置１１７は、帯電ローラ１１１と現像装置１１３との間において感光体１１０の光走査を行うようになっている。
【００５４】
また、符号１１６は定着装置、符号１１８はカセット、符号１１９はレジストローラ対、符号１２２は給紙コロ、符号１２１は排紙トレイ、符号Ｓは「記録媒体」としての転写紙を示している。
【００５５】
画像形成部において画像形成を行うときは、光導電性の感光体１１０が時計回りに等速回転され、その表面が帯電ローラ１１１により均一帯電され、光走査装置１１７のレーザビームの光書込による露光を受けて静電潜像が形成される。形成された静電潜像は所謂「ネガ潜像」であって画像部が露光されている。
【００５６】
「画像の書込み」は、感光体１１０の回転に従い、イエロー画像、マゼンタ画像、シアン画像、黒画像の順に行われ、形成された静電潜像はリボルバ式の現像装置１１３の各現像ユニットＹ（イエロートナーによる現像を行う）、Ｍ（マゼンタトナーによる現像を行う）、Ｃ（シアントナーによる現像を行う）、Ｋ（黒トナーによる現像を行う）により順次反転現像されてポジ画像として可視化され、得られた各色トナー画像は、転写ベルト１１４上に、転写電圧印加ローラ１１４Ａにより順次転写され、上記各色トナー画像が転写ベルト１１４上で重ね合わせられてカラー画像となる。
【００５７】
転写紙Ｓを収納したカセット１１８は、画像形成装置本体に脱着可能であり、図のごとく装着された状態において、収納された転写紙Ｓの最上位の１枚が給紙コロ１２２により給紙され、給紙された転写紙Ｓはその先端部をレジストローラ対１１９に捕えられる。
【００５８】
レジストローラ対１１９は、転写ベルト１１４上の「トナーによるカラー画像」が転写位置へ移動するのにタイミングを合わせて転写紙Ｓを転写部へ送り込む。送り込まれた転写紙Ｓは、転写部においてカラー画像と重ね合わせられ、転写ローラ１１４Ｂの作用によりカラー画像を静電転写される。転写ローラ１１４Ｂは、転写時に転写紙Ｓをカラー画像に押圧させる。
【００５９】
カラー画像を転写された転写紙Ｓは定着装置１１６へ送られ、定着装置１１６においてカラー画像を定着され、図示されないガイド手段による搬送路を通り、図示されない排紙ローラ対により排紙トレイ１２１上に排出される。各色トナー画像が転写されるたびに、感光体１１０の表面はクリーニング装置１１５によりクリーニングされ、残留トナーや紙粉等が除去される。
【００６０】
以上の構成の画像形成装置１００では、本発明の画像読取装置２０により得られる良好な品質の原稿読み取り画像を基に、高画質の画像形成を行うことができる。
【００６１】
なお、これまで本発明を図面に示した実施形態をもって説明してきたが、本発明は図面に示した実施形態に限定されるものではなく、他の実施形態、追加、変更、削除など、当業者が想到することができる範囲内で変更することができ、いずれの態様においても本発明の作用・効果を奏する限り、本発明の範囲に含まれるものである。
【符号の説明】
【００６２】
１    一体型光学ユニット（光学ユニット）
１ａ    開口部
１ｃ    ユニットケース
２，２’    風車体
２Ａ    風車部
２Ｂ    ファン部
３    光源
４    反射板
５    対向板
６ａ，６ｂ，６ｃ    反射ミラー
７    結像レンズ
８    撮像素子
９    コンタクトガラス
１０    回転軸
１１    保持部材
１１ａ    軸受け
１２    羽根
１３    支持アーム
１４    ブレード
２０    画像読取装置
１００    画像形成装置
１１０    感光体
１１１    帯電ローラ
１１３    現像装置
１１４    転写ベルト
１１４Ａ    転写電圧印加ローラ
１１４Ｂ    転写ローラ
１１５    クリーニング装置
１１６    定着装置
１１７    光走査装置
１１８    カセット
１１９    レジストローラ対
１２０    画像処理部
１２１    排紙トレイ
１２２    給紙コロ
Ｌ１，Ｌ２    光
ｍ１    主面
Ｐ    原稿
Ｓ    転写紙
【先行技術文献】
【特許文献】
【００６３】
【特許文献１】特開２０１０−０２１９６２号公報
【特許文献２】特許第４３８７７２６号公報
【図１】
2013005075.tif 000003
【図２】
2013005075.tif 000004
【図３】
2013005075.tif 000005
【図４】
2013005075.tif 000006
【図５】
2013005075.tif 000007
【図６】
2013005075.tif 000008
【図７】
2013005075.tif 000009
【図８】
2013005075.tif 000010
【図９】
2013005075.tif 000011
【図１０】
2013005075.tif 000012
【図１１】
2013005075.tif 000013